(57)【特許請求の範囲】
【請求項１】
内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部の、中心軸線回りの一の角度位置である下方において上下方向に移動可能に案内されると共に、上記カム溝と係合する外側縁が下方に突出する方向に付勢されたロッキングバーと、鍵孔より上方において内筒を中心軸線方向に貫通する支軸に揺動可能に軸支されるタンブラー群とを有し、上記仕切板の間の各スロットにタンブラーを収納すると共に、タンブラーの自由端部外側端縁に解錠切欠を形成し、一方、各タンブラーに、鍵孔に挿入された合鍵のブレードと干渉する係合突起を一体に突設し、各タンブラーをこの係合突起が合鍵に近接する方向に付勢すると共に、常態では内筒を軸線方向に貫通するバックアップピンに係止し、他方、合鍵を内筒の鍵孔に挿入したとき、各タンブラーの解錠切欠がロッキングバーの内側縁と整合するようにしたシリンダ錠において、ロッキングバーを内筒下方に付勢するロッキングバーばねを収納する仕切板の外面の、鍵孔からタンブラーの支軸寄りの部分に凹陥部を形成し、この凹陥部内に、支軸の上方において左右方向に対峙する一対のシャッター軸と、上端をシャッター軸により仕切板と平行な平面内で回動可能に支承され、下端の自由端部が鍵孔の幅方向におけるほぼ半分を被覆可能な一対の板状のシャッターを設けると共に、これら一対のシャッターを夫々の自由端部が相互に近接する方向に付勢し、一方、各シャッターの相互に対向する側端縁に、相互に近接したとき支軸と干渉しないように略半円形の凹部を形成し、他方、一対のシャッターの自由端部の相互に対向する部分を斜めに削いで一対の摺接端縁を形成し、鍵孔に合鍵が挿入されない常態において、上記摺接端縁の上下方向の位置を、施解錠操作時鍵孔に挿入された合鍵の先端が進入できるように設定したことを特徴とするシリンダ錠のシャッター機構。
【発明の詳細な説明】
【０００１】
【発明の属する技術分野】
この発明は、シリンダ錠、最適の適用例としては本出願人が先に提案したロータリーディスクタンブラー錠、の内筒に設けるシャッター機構に係り、特に、ピッキングを著しく困難にするシャッター機構に関する。
【０００２】
【従来の技術】
本出願人は、先に、特願２００１−３１６８８５を以て、従来の所謂レバータンブラー錠（ロータリーディスクシリンダ錠）を改良した新規なロータリーディスクタンブラー錠を提案した。
【０００３】
このロータリーディスクタンブラー錠は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたことを特徴とするものである。
【０００４】
上記したロータリーディスクタンブラー錠の構成を更に要約すると、図１に示すように、中央部に鍵孔を包囲し得る大きさの鍵挿通孔１を形成した環状のロータリーディスクタンブラー２を支軸３に揺動可能に軸支すると共に、自由端部外側端縁に解錠切欠４を形成し、一方、鍵挿通孔１の開口端縁に、先端の移動軌跡が鍵孔５に挿入された合鍵６のブレードの平面部又は端縁部と干渉する係合突起７を一体に突設し、各ロータリーディスクタンブラー２をこの係合突起７が合鍵６に近接する方向に付勢すると共に、常態ではバックアップピン８に係止し、他方、これらのタンブラー群の係合突起の夫々が鍵孔５に挿通された合鍵６のブレードに形成された対応する窪み９と係合したとき、各ロータリーディスクタンブラーの解錠切欠４をロッキングバー１１の内側縁と整合させるものである。
【０００５】
【発明が解決しようとする課題】
この発明は、上記した構成の新規なロータリーディスクタンブラー錠を改良しようとするものではなく、これに新規なシャッター機構を付加することでピッキングをより困難にし、錠前としてのロータリーディスクタンブラー錠の安全性を更に向上させることを目的としている。
【０００６】
【課題を解決するための手段】
上記の目的を達成するため、この発明は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部の、中心軸線回りの一の角度位置である下方において上下方向に移動可能に案内されると共に、上記カム溝と係合する外側縁が下方に突出する方向に付勢されたロッキングバーと、鍵孔より上方において内筒を中心軸線方向に貫通する支軸に揺動可能に軸支されるタンブラー群とを有し、上記仕切板の間の各スロットにタンブラーを収納すると共に、タンブラーの自由端部外側端縁に解錠切欠を形成し、一方、各タンブラーに、鍵孔に挿入された合鍵のブレードと干渉する係合突起を一体に突設し、各タンブラーをこの係合突起が合鍵に近接する方向に付勢すると共に、常態では内筒を軸線方向に貫通するバックアップピンに係止し、他方、合鍵を内筒の鍵孔に挿入したとき、各タンブラーの解錠切欠がロッキングバーの内側縁と整合するようにしたシリンダ錠において、ロッキングバーを内筒下方に付勢するロッキングバーばねを収納する仕切板の外面の、鍵孔からタンブラーの支軸寄りの部分に凹陥部を形成し、この凹陥部内に、支軸の上方において左右方向に対峙する一対のシャッター軸と、上端をシャッター軸により仕切板と平行な平面内で回動可能に支承され、下端の自由端部が鍵孔の幅方向におけるほぼ半分を被覆可能な一対の板状のシャッターを設けると共に、これら一対のシャッターを夫々の自由端部が相互に近接する方向に付勢し、一方、各シャッターの相互に対向する側端縁に、相互に近接したとき支軸と干渉しないように略半円形の凹部を形成し、他方、一対のシャッターの自由端部の相互に対向する部分を斜めに削いで一対の摺接端縁を形成し、鍵孔に合鍵が挿入されない常態において、上記摺接端縁の上下方向の位置を、施解錠操作時鍵孔に挿入された合鍵の先端が進入できるように設定したことを特徴とする。
【０００７】
【実施例】
以下、この発明の実施例を図２乃至図６を参照して説明する。
図２に示すように、ロータリーディスクタンブラー錠やレバータンブラー錠では、ロッキングバー１１の前後２ヵ所をロッキングバーばね１２により下方、すなわち外方に付勢している。
【０００８】
奥の方（図２で左方）のロッキングバーばね１２は、テールプラグ１３を半径方向に貫通してバックアップピン８に致る付番しないばね孔に収納される。
【０００９】
一方、外方のロッキングバーばね１２は、他のものより少し厚く通常仕切板Ｂと称せられる仕切板１４を下方から半径方向に貫通してバックアップピン８に致るばね収納孔１５（図３参照）に収納される。
【００１０】
この発明は、耐ピッキング性能を向上させるため、この仕切板１４に一対のシャッターを組込み、鍵孔に合鍵を挿入しない常態においてはこれらのシャッターをばねの弾力により相互に近接するように付勢して鍵孔を閉塞するように構成されている。
【００１１】
そのため、図３に示すように、仕切板１４の鍵孔５から上半分、すなわち、鍵孔５から支軸３寄りの部分に凹陥部１６を形成し、この凹陥部１６中に、例えば外形が略鳥の首部のような形状の一対のシャッター１７、１７が、相互に背中合せにした態様で、その上端における鳥の目の位置をシャッター軸１８により回動可能に軸支されている。
【００１２】
ちなみに、上記した凹陥部１６を形成した仕切板１４は、例えばメタル・インジェクション（射出成形）によって効率的に製造することができる。
【００１３】
そして、上記の各シャッター１７は、そのくちばしの下に一端を固定された細い板ばねからなるシャッターばね１９の弾力により、他端（下端）自由端部が相互に近接して鍵孔の略半分を覆うように付勢されている。
【００１４】
なお、鍵孔５に合鍵が挿入されない常態における各シャッター１７の角度位置を規定するため、図示の実施例では、図３に示すように、支軸３の長さ方向においてシャッター１７と整合する位置にカラー２１を嵌着し、常態ではこのカラー２１とシャッター１７を当接させて図示の角度位置を保つように構成されている。
【００１５】
一方、図３に示すように、一対のシャッター１７、１７の自由端部の相互に対抗する部分を斜めに削がれていて、常態における鍵孔部分に一対の摺接端縁２２、２２が形成されている。
【００１６】
その結果、常態において、鍵孔５の横断面における中央部分に山形の隙間が形成される。
【００１７】
なお、図示の実施例では、上記摺接端縁２２は直線になるように成形されているが、これは例えば下に凸の円弧状でも良いことは勿論である。
【００１８】
また、このシャッター１７はプレスによる抜き放しではなく、プレス加工後摺接端縁２２をプレスにより断面円弧状に成形することが望ましい。
【００１９】
そして、鍵孔５に合鍵が挿入されない常態における上記摺接端縁２２の上下方向の位置は、図３に示すように、合鍵６（図５及び図６参照）のブレード２３の先端（右端）が摺接端縁２２、２２の下方に進入できるように設定されている。
【００２０】
上記のように構成されたこの発明の一実施例によるシャッター機構は、常態では、図４に示すように、シャッター１７の一部は鍵孔５から覗くが、大部分はシャッターより手前のロータリーディスクタンブラー２、２の後に隠れる。
【００２１】
なお、ロータリーディスクタンブラー２が鍵孔５の左右に見える理由は、内筒の軸線方向において相互に隣接するロータリーディスクタンブラー２、２は、図１に示す係合突起７が右左に位置を違えるように形成されると共に、ロータリーディスクタンブラーの付勢方向も交互に反対方向になるように設計されるからである。
【００２２】
通常の施解錠操作では合鍵６が鍵孔に挿入されるから、その先端がシャッター１７より手前のロータリーディスクタンブラーの係合突起７、７を押上げつつ鍵孔内に挿入され、シャッター１７に致ると、合鍵の先端が摺接端縁２２、２２の下側に潜り込み、これらと合鍵先端の面取り部との間に生じる楔作用によりシャッター１７、１７が拡開して合鍵６の鍵孔５内への更なる進入を許容する。
【００２３】
そして、施解錠操作後合鍵を鍵孔から抜くとき、シャッター１７はシャッターばね１９（図３参照）の弾力によって図３に示す鍵孔閉鎖状態に戻る。
【００２４】
したがって、シャッター１７の存在は通常の施解錠操作では何等障害にならないが、ピッキングの場合にはシャッター１７がその操作の邪魔になる。
【００２５】
すなわち、ピッキングは、鍵孔５内に細い工具を差し入れ、目的のロータリーディスクタンブラーの係合突起７をこの工具で押上げると共に内筒にトルクを掛け、ロッキングバー１１と解錠切欠４の整合を微妙な手ごたえをもとに検知し、そのロータリーディスクタンブラーの角度位置を摩擦係合を介してロッキングバー１１に係止する。
【００２６】
そして、この操作を全タンブラーについて奥の方から行うのであるが、一番奥のタンブラーを操作するとき、勿論工具によってシャッター１７を押上げて、工具をそれより奥に挿入する。
【００２７】
このとき、シャッター１７を押上げる操作が以外に面倒であって、それは、図３から明らかなように、シャッター１７が鍵孔５の左右の断面積が大きい部分をほぼ覆っているからである。
【００２８】
また、シャッターの摺接端縁２２より下側の工具を差し入れ易い部分は鍵孔５の中心部分にあり、鍵孔５の左右の断面積が大きい部分に挿入した工具を単に左右に動かす訳には行かないからである。
【００２９】
そして、苦労してやって一番奥のタンブラーを解錠角度位置に係止したとしても、次のタンブラーは一番奥のものとは鍵孔内で左右反対に位置している上、上記したように鍵孔の横断面形状は中央部が複雑、かつ細くなっているので（図３参照）、工具を単に右から左に動かす、という訳には行かない。
【００３０】
次のタンブラーをピッキングするときには、折角苦労してシャッター１７を押上げて挿入した工具を、例えば鍵孔の左側の開口から一旦抜いて右側の開口に差し替えなければならず、このときシャッターをもう一度押上げなくてはならない
。
【００３１】
以下同様にして、ピッキングの際タンブラーの操作毎にシャッターを押上げなければならず、気が急いている不正解錠者はついには諦めてしまい、このようにしてこの発明によるシャッター機構はピッキングを著しく困難にする。
【００３２】
なお、上記のシャッター機構は、図示のロータリーディスクタンブラー錠に限らず、従来のレバータンブラー錠にも適用可能である。
【００３３】
【発明の効果】
以上の説明から明らかなように、この発明は、内筒の比較的外端に近い仕切板１４にシャッターを組込み、ピッキング時、タンブラーのピッキング毎に面倒なシャッターの押上げ操作を強いるから、ピッキングを著しく困難にする、という所期の効果を奏する。
【図面の簡単な説明】
【図１】ロータリーディスクタンブラー錠の構成を説明するための横断面図。
【図２】ロータリーディスクタンブラー錠の構成を説明するための縦断面図。
【図３】この発明によるシャッター機構の正面図。
【図４】この発明によるシャッター機構を備えたロータリーディスクタンブラー錠の正面図。
【図５】合鍵の平面図。
【図６】合鍵の側面図。
【符号の説明】
１  鍵挿通孔
２  ロータリーディスクタンブラー
３  支軸
４  解錠切欠
５  鍵孔
６  合鍵
７  係合突起
８  バックアップピン
９  窪み
１１  ロッキングバー
１２  ロッキングバーばね
１４  仕切板
１６  凹陥部
１７  シャッター
１８  シャッター軸
１９  シャッターばね
２１  カラー
２２  摺接端縁
【図１】
0004128352.tif 000002
【図２】
0004128352.tif 000003
【図３】
0004128352.tif 000004
【図４】
0004128352.tif 000005
【図５】
0004128352.tif 000006
【図６】
0004128352.tif 000007